(57)【要約】【課題】  本発明は、画像読取機能を有する画像表示装置を備え、原稿押さえを用いることなく画像を読取る際の照射光漏れを防止することが可能な電子機器および画像読取方法を提供する。【解決手段】  図１に示すスキャナ装置１Ａは、原稿載置台としての画像読取機能付き画像表示部２を有する。画像読取機能付き画像表示部２は、内蔵するフラットパネル１１２を、原稿が載置された読取エリアのみ光を透過させ、読取原稿が載置されていない読取対象外エリアは光を遮光する、あるいは透過率を低下させるように表示制御することにより、原稿押さえがなくとも照射光の漏れを防ぎつつ、原稿押さえ等による原稿ずれの発生を防ぐことが可能となる。【選択図】  図１１
2006140918.tif 000002
【特許請求の範囲】
【請求項１】
複数の表示素子からなる表示部と、複数の受光素子からなる画像読取部とを有し、上記表示部に画像を表示するとともに、一方の面に載置された原稿を上記画像読取部で読み取る表示読取手段と、
この表示読取手段に載置された原稿を読み取る際に、上記載置された原稿に対向する上記表示部の第１のエリアに明度の高い第１の色を表示し、上記第１のエリアとは異なる上記表示部の第２のエリアに上記第１の色よりも明度の低い第２の色を表示するよう表示制御する表示制御手段と、
を有することを特徴とする電子機器。
【請求項２】
複数の表示素子からなる液晶表示部と、複数の受光素子からなる画像読取部とを有し、上記表示部に画像を表示するとともに、一方の面に載置された原稿を上記画像読取部で読み取る表示読取手段と、
この表示読取手段に載置された原稿を読み取る際に、上記載置された原稿に対向する上記表示部の第１のエリアに光を透過させる第１の色を表示し、上記第１のエリアとは異なる上記表示部の第２のエリアに上記第１の色よりも透過率の低い第２の色を表示するよう表示制御する表示制御手段と、
を有することを特徴とする電子機器。
【請求項３】
上記表示制御手段は、上記表示読取手段に載置された原稿を読み取る際に、上記載置された原稿の周囲から特定の幅だけ内側に相当する上記表示部の第３のエリアに上記第２の色を表示するよう表示制御することを特徴とする請求項１または請求項２のいずれか記載の電子機器。
【請求項４】
複数の表示素子からなる表示部と、複数の受光素子からなる画像読取部とを有し、上記表示部にユーザにより入力された読取原稿サイズに対応した領域を示す画像を表示するとともに、一方の面に載置された原稿を上記画像読取部で読み取る表示読取手段と、
この表示読取手段に載置された原稿を読み取る際に、上記表示部に表示された領域を示す画像に相当する上記表示部の第１のエリアに明度の高い第１の色を表示し、上記第１のエリアとは異なる上記表示部の第２のエリアに上記第１の色よりも明度の低い第２の色を表示するよう表示制御する表示制御手段と、
を有することを特徴とする電子機器。
【請求項５】
複数の表示素子からなる液晶表示部と、複数の受光素子からなる画像読取部とを有し、上記表示部にユーザにより入力された読取原稿サイズに対応した領域を示す画像を表示するとともに、一方の面に載置された原稿を上記画像読取部で読み取る表示読取手段と、
この表示読取手段に載置された原稿を読み取る際に、上記表示部に表示された領域を示す画像に相当する上記表示部の第１のエリアに光を透過させる第１の色を表示し、上記第１のエリアとは異なる上記表示部の第２のエリアに上記第１の色よりも透過率の低い第２の色を表示するよう表示制御する表示制御手段と、
を有することを特徴とする電子機器。
【請求項６】
上記表示された領域を示す画像の表示を、上記表示部における上記表示読取手段による読取可能領域内の任意の位置に変更する変更手段を有することを特徴とする請求項４または請求項５のいずれか記載の電子機器。
【請求項７】
上記表示制御手段は、上記表示読取手段に載置された原稿を読み取る際に、上記表示された領域を示す画像の周囲から特定の幅だけ内側に相当する上記表示部の第３のエリアに上記第２の色を表示するよう表示制御することを特徴とする請求項４または請求項５のいずれか記載の電子機器。
【請求項８】
上記載置された原稿を上記表示読取手段に対して押さえつける透明部材を有することを特徴とする請求項１、請求項２、請求項４または請求項５のいずれか記載の電子機器。
【請求項９】
複数の表示素子からなる表示部と、複数の受光素子からなる画像読取部とを有し、上記表示部に画像を表示するとともに、一方の面に載置された原稿を上記画像読取部で読み取る表示読取手段を有する電子機器における画像読取方法において、
上記載置された原稿に対向する上記表示部の第１のエリアに明度の高い第１の色を表示し、上記第１のエリアとは異なる上記表示部の第２のエリアに上記第１の色よりも明度の低い第２の色を表示するステップと、
上記画像読取部にて反射光を受光することにより上記載置された原稿の画像を読み取るステップと、
を有することを特徴とする画像読取方法。
【請求項１０】
複数の表示素子からなる液晶表示部と、複数の受光素子からなる画像読取部とを有し、上記表示部に画像を表示するとともに、一方の面に載置された原稿を上記画像読取部で読み取る表示読取手段を有する電子機器における画像読取方法において、
上記載置された原稿に対向する上記表示部の第１のエリアに光を透過させる第１の色を表示し、上記第１のエリアとは異なる上記表示部の第２のエリアに上記第１の色よりも透過率の低い第２の色を表示するステップと、
上記画像読取部にて反射光を受光することにより上記載置された原稿の画像を読み取るステップと、
を有することを特徴とする画像読取方法。
【請求項１１】
上記表示ステップは、上記載置された原稿の周囲から特定の幅だけ内側に相当する上記表示部の第３のエリアに上記第２の色を表示することを特徴とする請求項９または請求項１０のいずれか記載の画像読取方法。
【請求項１２】
複数の表示素子からなる表示部と、複数の受光素子からなる画像読取部とを有し、上記表示部に画像を表示するとともに、一方の面に載置された原稿を上記画像読取部で読み取る表示読取手段を有する電子機器における画像読取方法において、
上記表示部にユーザにより入力された読取原稿サイズに対応した領域を示す画像を表示するステップと、
上記領域表示ステップで上記表示部に表示された領域を示す画像に相当する上記表示部の第１のエリアに明度の高い第１の色を表示し、上記第１のエリアとは異なる上記表示部の第２のエリアに上記第１の色よりも明度の低い第２の色を表示するステップと、
上記画像読取部にて反射光を受光することにより上記載置された原稿の画像を読み取るステップと、
を有することを特徴とする画像読取方法。
【請求項１３】
複数の表示素子からなる液晶表示部と、複数の受光素子からなる画像読取部とを有し、上記表示部に画像を表示するとともに、一方の面に載置された原稿を上記画像読取部で読み取る表示読取手段を有する電子機器における画像読取方法において、
上記表示部にユーザにより入力された読取原稿サイズに対応した領域を示す画像を表示するステップと、
上記領域表示ステップで上記表示部に表示された領域を示す画像に相当する上記表示部の第１のエリアに光を透過させる第１の色を表示し、上記第１のエリアとは異なる上記表示部の第２のエリアに上記第１の色よりも透過率の低い第２の色を表示するステップと、
上記画像読取部にて反射光を受光することにより上記載置された原稿の画像を読み取るステップと、
を有することを特徴とする画像読取方法。
【請求項１４】
上記領域表示ステップで表示された上記領域を示す画像の表示を、上記表示部における上記表示読取手段による読取可能領域内の任意の位置に変更するステップを有することを特徴とする請求項１２または請求項１３のいずれか記載の画像読取方法。
【請求項１５】
上記表示ステップは、上記表示された領域を示す画像の周囲から特定の幅だけ内側に相当する上記表示部の第３のエリアに上記第２の色を表示することを特徴とする請求項１２または請求項１３のいずれか記載の画像読取方法。
【発明の詳細な説明】
【技術分野】
【０００１】
本発明は、画像読取機能を有する画像表示装置を備え、画像を読取る際に画像表示装置の表示機能を用いて照射光漏れを防止する電子機器および画像読取方法に関する。
【背景技術】
【０００２】
多くの画像読取装置においては、読取画像における原稿の周囲が黒くなることを回避するため、白色の原稿押さえが設けられている。しかしながら、原稿押さえを閉じることにより、原稿が押されて、原稿にずれが生じる場合がある。また、原稿押さえによって原稿にずれが生じたかは、読取画像を出力して初めて判明する。このような原稿ずれを画像読取前に発見するために、原稿押さえとして液晶パネルを用いた複写機が考えられている。即ち、この複写機は、原稿をセットした時には液晶パネルを透明状態とし、複写動作中には液晶パネルを非透明状態とする。すると、原稿押さえにより押された原稿の状態を目視にて確認することができ、かつ複写動作中には光が抜けない（例えば、特許文献１参照）。
【特許文献１】特開平９−３２５４３３号公報
【発明の開示】
【発明が解決しようとする課題】
【０００３】
しかしながら、従来の装置では、原稿押さえを使用しない場合には、目視で原稿の状態を確認できるものの、光の漏れを防ぐことができないという問題点があった。
本発明は、以上の点に鑑みなされたもので、画像読取機能を有する画像表示装置を備え、原稿押さえを用いることなく画像を読取る際の照射光漏れを防止することが可能な電子機器および画像読取方法を提供することを目的とする。
【課題を解決するための手段】
【０００４】
上記目的を達成するために、本発明の電子機器は、複数の表示素子からなる表示部と、複数の受光素子からなる画像読取部とを有し、上記表示部に画像を表示するとともに、一方の面に載置された原稿を上記画像読取部で読み取る表示読取手段と、この表示読取手段に載置された原稿を読み取る際に、上記載置された原稿に対向する上記表示部の第１のエリアに明度の高い第１の色を表示し、上記第１のエリアとは異なる上記表示部の第２のエリアに上記第１の色よりも明度の低い第２の色を表示するよう表示制御する表示制御手段と、を有することを特徴とする。
【０００５】
上記目的を達成するために、本発明の電子機器は、複数の表示素子からなる液晶表示部と、複数の受光素子からなる画像読取部とを有し、上記表示部に画像を表示するとともに、一方の面に載置された原稿を上記画像読取部で読み取る表示読取手段と、この表示読取手段に載置された原稿を読み取る際に、上記載置された原稿に対向する上記表示部の第１のエリアに光を透過させる第１の色を表示し、上記第１のエリアとは異なる上記表示部の第２のエリアに上記第１の色よりも透過率の低い第２の色を表示するよう表示制御する表示制御手段と、を有することを特徴とする。
【０００６】
上記目的を達成するために、本発明の電子機器は、複数の表示素子からなる表示部と、複数の受光素子からなる画像読取部とを有し、上記表示部にユーザにより入力された読取原稿サイズに対応した領域を示す画像を表示するとともに、一方の面に載置された原稿を上記画像読取部で読み取る表示読取手段と、この表示読取手段に載置された原稿を読み取る際に、上記表示部に表示された領域を示す画像に相当する上記表示部の第１のエリアに明度の高い第１の色を表示し、上記第１のエリアとは異なる上記表示部の第２のエリアに上記第１の色よりも明度の低い第２の色を表示するよう表示制御する表示制御手段と、を有することを特徴とする。
【０００７】
上記目的を達成するために、本発明の電子機器は、複数の表示素子からなる液晶表示部と、複数の受光素子からなる画像読取部とを有し、上記表示部にユーザにより入力された読取原稿サイズに対応した領域を示す画像を表示するとともに、一方の面に載置された原稿を上記画像読取部で読み取る表示読取手段と、この表示読取手段に載置された原稿を読み取る際に、上記表示部に表示された領域を示す画像に相当する上記表示部の第１のエリアに光を透過させる第１の色を表示し、上記第１のエリアとは異なる上記表示部の第２のエリアに上記第１の色よりも透過率の低い第２の色を表示するよう表示制御する表示制御手段と、を有することを特徴とする。
【０００８】
上記目的を達成するために、本発明の画像読取方法は、複数の表示素子からなる表示部と、複数の受光素子からなる画像読取部とを有し、上記表示部に画像を表示するとともに、一方の面に載置された原稿を上記画像読取部で読み取る表示読取手段を有する電子機器における画像読取方法において、上記載置された原稿に対向する上記表示部の第１のエリアに明度の高い第１の色を表示し、上記第１のエリアとは異なる上記表示部の第２のエリアに上記第１の色よりも明度の低い第２の色を表示するステップと、上記画像読取部にて反射光を受光することにより上記載置された原稿の画像を読み取るステップと、を有することを特徴とする。
【０００９】
上記目的を達成するために、本発明の画像読取方法は、複数の表示素子からなる液晶表示部と、複数の受光素子からなる画像読取部とを有し、上記表示部に画像を表示するとともに、一方の面に載置された原稿を上記画像読取部で読み取る表示読取手段を有する電子機器における画像読取方法において、上記載置された原稿に対向する上記表示部の第１のエリアに光を透過させる第１の色を表示し、上記第１のエリアとは異なる上記表示部の第２のエリアに上記第１の色よりも透過率の低い第２の色を表示するステップと、上記画像読取部にて反射光を受光することにより上記載置された原稿の画像を読み取るステップと、を有することを特徴とする。
【００１０】
上記目的を達成するために、本発明の画像読取方法は、複数の表示素子からなる表示部と、複数の受光素子からなる画像読取部とを有し、上記表示部に画像を表示するとともに、一方の面に載置された原稿を上記画像読取部で読み取る表示読取手段を有する電子機器における画像読取方法において、上記表示部にユーザにより入力された読取原稿サイズに対応した領域を示す画像を表示するステップと、上記領域表示ステップで上記表示部に表示された領域を示す画像に相当する上記表示部の第１のエリアに明度の高い第１の色を表示し、上記第１のエリアとは異なる上記表示部の第２のエリアに上記第１の色よりも明度の低い第２の色を表示するステップと、上記画像読取部にて反射光を受光することにより上記載置された原稿の画像を読み取るステップと、を有することを特徴とする。
【００１１】
上記目的を達成するために、本発明の画像読取方法は、複数の表示素子からなる液晶表示部と、複数の受光素子からなる画像読取部とを有し、上記表示部に画像を表示するとともに、一方の面に載置された原稿を上記画像読取部で読み取る表示読取手段を有する電子機器における画像読取方法において、上記表示部にユーザにより入力された読取原稿サイズに対応した領域を示す画像を表示するステップと、上記領域表示ステップで上記表示部に表示された領域を示す画像に相当する上記表示部の第１のエリアに光を透過させる第１の色を表示し、上記第１のエリアとは異なる上記表示部の第２のエリアに上記第１の色よりも透過率の低い第２の色を表示するステップと、上記画像読取部にて反射光を受光することにより上記載置された原稿の画像を読み取るステップと、を有することを特徴とする。
【発明の効果】
【００１２】
本発明によれば、画像読取機能を有する画像表示装置を備え、原稿押さえを用いることなく画像を読取る際の照射光漏れを防止することができる。
【発明を実施するための最良の形態】
【００１３】
以下、この発明の実施の形態について、図面を参照して詳細に説明する。図１および図２は、本実施の形態に係る電子機器としてのスキャナ装置１の斜視図である。
【００１４】
図１に示すスキャナ装置１Ａは、原稿載置台としての画像読取機能付き画像表示部２（以下、表示読取部という）と、電源ボタン３と、有線（あるいは無線でも良い）で接続された入力部としてのマウス４とを有する。図２に示すスキャナ装置１Ｂは、図１に示すスキャナ装置１Ａに対して、更に原稿押さえとして透明フィルム６が設けられた構成である。
【００１５】
図３は、図１及び図２に示すスキャナ装置１（１Ａ、１Ｂ）のシステム構成を示すブロック図である。スキャナ装置１は、図示するように、ＣＰＵ１０１、メモリ１０２、スキャナコントローラ１１１、入力部（マウス）４および表示読取部２等が設けられている。
【００１６】
ＣＰＵ１０１は、スキャナ装置１全体の動作を制御するために設けられたプロセッサであり、後述する画像読取方法に関するプログラムをはじめ、各種プログラムを実行する。メモリ１０２は、上記プログラムが格納されている不揮発性メモリと、ワークメモリとして使用されるＲＡＭとから構成されている。入力部（マウス）４は、ユーザにより、表示読取部２に表示された後述するメニュー画面に対応して、各種指示や情報の入力に用いられる。
【００１７】
表示読取部２は、フラットパネル１１２と、バックライト１１３および受光部１１４とから構成されており、スキャナコントローラ１１１によって制御される。フラットパネル１１２は複数の表示素子から構成されており、受光部１１４は複数の受光素子から構成されており、スキャナコントローラ１１１はこれらの表示素子及び受光素子を個別制御することができる。バックライト１１３は、フラットパネル１１２と、受光部１１４の背面に重ねあわさるように構成されている。
【００１８】
スキャナコントローラ１１１は、例えば後述するメニュー画面等の画像を表示読取部２に表示する際には、フラットパネル１１２とバックライト１１３とを駆動制御して画像を表示する。この際、受光部１１４は駆動させない。尚、本実施例は、表示読取部２としてフラットパネル１１２とバックライト１１３を有する液晶表示装置を用いて説明するが、これに限らず、例えばプラズマ表示装置（ＰＤＰ）のような自発光タイプのフラットパネルを用いても良い。
【００１９】
スキャナコントローラ１１１は、表示読取部２上に載置された原稿を読み取る際は、フラットパネル１１２の表示色を制御する。即ち、スキャナコントローラ１１１は、液晶表示装置を用いた表示読取部２の場合には、フラットパネル１１２を、光を透過させる透過率の高い第１の色と、光を遮光する（あるいは透過率がより低い）第２の色のいずれかの色に表示させる。一方、スキャナコントローラ１１１は、自発光タイプの表示装置を用いた表示読取部２の場合には、フラットパネル１１２を、明度の高い第１の色と、明度の低い第２の色のいずれかの色に表示させることとなる。以下、液晶表示装置を用いた表示読取部２について、代表して説明する。
【００２０】
スキャナコントローラ１１１は、原稿を読み取る際は、フラットパネル１１２の表示色を制御することにより、液晶表示装置を用いた表示読取部２の場合には、バックライト１１３の照射光を（構造によっては原稿からの反射光をも）透過／遮光（あるいは透過率を低下）させる。また、スキャナコントローラ１１１は、バックライト１１３を駆動制御して原稿を照射させ、受光部１１４を駆動制御して反射光を受光する。
【００２１】
即ち、スキャナコントローラ１１１は、表示読取部２上に載置された原稿を読み取る際、載置された原稿に対向するフラットパネル１１２の読取エリアに光（照射光や反射光）を透過させる第１の色を表示するよう制御する。又、スキャナコントローラ１１１は、表示読取部２上に載置された原稿を読み取る際、原稿が載置されていないフラットパネル１１２の非読取エリアに光（照射光や反射光）を遮光する、あるいは第１の色より透過率がより低い第２の色を表示するよう制御する。
【００２２】
モノクロ（白黒）で原稿を読み取る場合に、スキャナコントローラ１１１は、フラットパネル１１２の原稿が載置された読取エリアを白色表示させ、フラットパネル１１２の読取エリア以外のエリア（即ち原稿が載置されていないエリア）を黒色あるいは暗色表示させるよう表示制御する。即ち、スキャナコントローラ１１１は、読取エリアは光を透過させる（即ち明度の高い）白色に表示させ、非読取エリアは光を遮光する黒色あるいは透過率を低下させる（即ち明度の低い）暗色に表示させる。
【００２３】
カラーで原稿を読み取る場合には、スキャナコントローラ１１１は、例えばＲ，Ｇ，Ｂの三原色を読み取るために、フラットパネル１１２の非読取エリアを黒色（あるいは暗色）表示させた状態で、フラットパネル１１２の原稿が載置された読取エリアを赤（Ｒ画素を透過し、Ｇ，Ｂ画素は遮光状態とする）色表示、緑（Ｇ画素を透過し、Ｒ，Ｂ画素は遮光状態とする）色表示、青（Ｂ画素を透過し、Ｒ，Ｇ画素は遮光状態とする）色表示とを順次切り替えて、３回読み取る動作を行うようバックライト１１３と受光部１１４を制御する。
【００２４】
このように、原稿が載置された読取エリアのみ光を透過させ、読取原稿が載置されていない非読取エリア（読取対象外エリア）は光を遮光する（あるいは透過率を低下させる）ように表示制御することにより、原稿押さえがなくとも照射光の漏れを防ぎつつ、原稿押さえ等による原稿ずれの発生を防ぐことが可能となる。
【００２５】
また、図２に示すスキャナ装置１Ｂにおいては、原稿押さえとして透明フィルム６を有している。このため、上記読取時に透明フィルム６にて原稿を押さえることにより、目視にて原稿ずれ等を確認でき、かつ原稿をしっかりと表示読取部２の上面に保持することができる。この際、表示読取部２のフラットパネル１１２の原稿が載置されていないエリアは黒色表示されているため、照射光漏れも生じない。
【００２６】
次に、図４及び図５は、スキャナ装置１（１Ａ、１Ｂ）をノート型パーソナルコンピュータ１１（以下ノート型パソコンと称す）に有線（または無線）で接続したシステムの斜視図である。このシステムでは、各種指示や情報の入力はノート型パソコン１１から行われる。図６は、図４及び図５に示すスキャナ装置１とノート型パソコン１１とからなるシステムのブロック図である。
【００２７】
図４及び図５に示すシステムは、図１および図２に示すスキャナ装置１単体からなるシステムと比較すると、ユーザによる指示または情報の入力形態が異なる実施例である。図４及び図５において、スキャナ装置１（１Ａ，１Ｂ）の構成は、入力部（マウス）４がノート型パソコン１１に接続されている以外は図１乃至図３と同様のため説明を省略する。
【００２８】
図４および図５に示すシステムは、マウス等の入力部４を保持していないスキャナ装置１（１Ａ、１Ｂ）がノート型パソコンと接続されている。ノート型パソコン１１は、画像読取機能を保持していない画像表示部１２（以下、例えばＬＣＤと称す）と、電源ボタン１３と、有線（あるいは無線でも良い）で接続された入力装置としてのマウス４とキーボード１５とを有する。
【００２９】
ノート型パソコン１１は、図示するように、ＣＰＵ２０１、メモリ２０２、グラフィックスコントローラ２１１およびＵＳＢコントローラ２１２等が設けられている。ＣＰＵ２０１は、ノート型ＰＣ１１の動作を制御するために設けられたプロセッサであり、オペレーティングシステムやアプリケーションプログラム／ユーティリティプログラム等を実行する。メモリ２０２は、上記プログラムが格納された内蔵ハードディスク（ＨＤＤ）と、ワークメモリとして使用されるＲＡＭとを備えている。
【００３０】
グラフィックスコントローラ２１１は、図示せぬＶＲＡＭに描画された画面イメージデータをディスプレイドライバを介して順次読み出し、ＬＣＤ１２に表示する。スキャナ装置１や入力部４、１５は、ＵＳＢコントローラ２１２を介して接続されている。入力部（マウス）４は、ユーザにより、ＬＣＤ１２に表示された後述するメニュー画面に対応して、各種指示や情報の入力に用いられる。
【００３１】
図４乃至図６に示すシステムにおいては、後述する読取原稿の設定メニュー画面の表示はノート型パソコン１１のＬＣＤ１２に表示され、ユーザによる各種指示・情報の入力は入力部（マウス、キーボード）４、１５を用いてノート型パソコン１１に入力されるようになっている。メニュー画面にて各種指示・情報が入力された後、スキャナ装置１にて画像読取処理が実行される。このスキャナ装置１における画像読取に関する処理は、図１乃至図３に示すスキャナ装置１単体のシステムと同様である。
【００３２】
図７は、スキャナ装置１の画像読取機能付き画像表示部（即ち表示読取部）２を内蔵した電子機器としてのノート型パソコン２１の斜視図である。図８は、ノート型パソコン２１のブロック図である。図７に示すノート型パソコン２１は、図４乃至図６に示すノート型パソコン１１のグラフィックスコントローラ２０３とＬＣＤ１２に読取機能を追加した構成である。即ち、ノート型パソコン２１は、図１乃至図３に示すスキャナ装置１のスキャナコントローラ１１１と表示読取部を内蔵した構成である。
【００３３】
又、図７に示すノート型パソコン２１には、図２に示すスキャナ装置１Ｂの構成と同様に、更に原稿押さえとして透明フィルム２６が設けられている。尚、透明フィルム２６を有しないノート型パソコンであっても、画像読取機能付き画像表示部（表示読取部）２２の画像読取に関する処理には変更はない。
【００３４】
但し、原稿押さえとして透明フィルム２６を有しているノート型パソコン２１は、上記読取時に透明フィルム２６にて原稿を押さえることにより、目視にて原稿ずれ等を確認でき、かつ原稿をしっかりと表示読取部２２の上面に保持することができる。この際、表示読取部２２のフラットパネル１１２の原稿が載置されていないエリアは黒色表示されているため、照射光漏れも生じない。
【００３５】
次に、図９乃至図１５を用いて、図１乃至図３に示すスキャン装置１、図４乃至図６に示すスキャナ装置１とノート型パソコン１１からなるシステム、及び図７及び図８に示すノート型パソコン２２における画像読取処理について説明する。図９は画像読取領域の設定に関するフローチャートである。図１１は画像読取処理に関するフローチャートである。
【００３６】
尚、図９および図１１に示すフローチャートに関する説明において、番号を付与せずに「ＣＰＵ」および「画像表示部」と表記した場合には、図１乃至図３に示すスキャン装置１のＣＰＵ１０１と表示読取部２、図４乃至図６に示すノート型パソコン１１のＣＰＵ２０１とＬＣＤ１２、図７及び図８に示すノート型パソコン２２にＣＰＵ２０１と表示読取部２２を示すこととして以下説明する。
【００３７】
図９に示すように、ＣＰＵは、例えばユーザによる入力部４（１５）からの各種指示や情報入力等所定のイベントの発生を検知すると（ステップＳＴ１１）、画像表示部に原稿指定に関するメニュー画面４１を表示する（ステップＳＴ１２）。
【００３８】
原稿指定に関するメニュー画面４１は、図１０に示すように、原稿サイズを選択するための既定サイズ毎のサイズ選択ボタン４１ａと、モノクロ（白黒）読取あるいはカラー読取かを選択する読取方式選択ボタン４１ｂと、原稿の縦横の向きを選択する向き選択ボタン４１ｃと、設定完了を指示するための「設定完了」ボタン４１ｄと、終了を指示するための「終了」ボタン４１ｅとから構成されている。尚、メニュー画面４１の各ボタンは、本実施例に限らず、任意の原稿サイズを入力するための入力ブロック等を有しても良い。
【００３９】
そして、入力部４に連動したカーソル５０を移動させることにより、ユーザは希望のボタンを選択できる（ステップＳＴ１３のＮｏ、ＳＴ１４のＮｏ）。ユーザにより「終了」ボタンが選択されると、ＣＰＵは一連の設定処理を終了する（ＳＴ１３のＮｏ、ＳＴ１４のＹｅｓ）。そして、原稿サイズ、読取方式、原稿の向きが選択され、「読取開始」ボタンが選択されると（ＳＴ１３のＹｅｓ）、ＣＰＵは図１１に示す画像読取処理へと進む。ここでは、ユーザにより原稿サイズとして「名刺」サイズ、「白黒」読取方式、「横」向きが選択され、「読取開始」ボタンが選択されたと仮定して、図１１に示すフローチャートの説明へと進むこととする。
【００４０】
画像読取領域の設定が完了すると、ＣＰＵは、画像表示部に、指定された原稿サイズに基づいて、図１２に示すように、原稿をセットする位置を指示する原稿位置画面を表示する（ステップＳＴ１５）。図１２に示す原稿位置画面は、選択された原稿サイズに対応した領域を示す画像をフラットパネル１１２上に表示するための画面である。
【００４１】
即ち、図１２に示す原稿位置画面は、予め設定されたデフォルト位置に、選択された原稿サイズの読取エリアを表示する読取対象領域４３と、読取エリア以外のエリアからなる読取対象外領域４４と、画像読取の実行を指示するための「読取開始」ボタン４５と、メニュー画面４１への戻りを指示するための「戻る」ボタン４６と、一連の処理の終了を指示するための「終了」ボタン４７とから構成されている。本実施例では、横向きの名刺サイズが選択されているので、原稿位置画面には、横向き名刺サイズの読取対象領域４３が表示されている。
【００４２】
画像表示部に表示される領域は、少なくとも境界線等により読取対象領域４３と読取対象外領域４４の両領域の境目がユーザによって判別できるよう表示されていれば良い。本実施例では、読取対象領域４３と読取対象外領域４４とは、境界線及び異なる表示色で表示している。また、読取対象領域４３の内側には、「ここに原稿をセットして下さい」とのコメントを表示している。
【００４３】
ここで、図４乃至図６に示すノート型パソコン１１のＣＰＵ２０１とＬＣＤ１２からなるシステムにおいては、ＬＣＤ１２に図１２に示す原稿位置画面を表示すると共に、スキャナ装置１の表示読取部２には、ＬＣＤ１２と同じ図１２に示す画面、あるいは図１３に示すような原稿位置画面を表示する必要がある。図１３に示す原稿指示画面は、読取対象領域４３と読取対象外領域４４のみを、境界線及び／又は異なる表示色で表示した画面である。
【００４４】
ＳＴ１５の原稿位置画面において、入力部４に連動したカーソル５０により「終了」ボタン４７が選択されると、ＣＰＵは一連の読取処理を終了する（ステップＳＴ１６の「終了」）。「戻る」ボタン４６が選択されると（ＳＴ１６の「戻る」）、ＣＰＵは図９に示す画像読取領域の設定処理におけるＳＴ１２の処理へと戻る。
【００４５】
ＳＴ１５の原稿位置画面において、カーソル５０により「読取開始」ボタン４５が選択されると（ＳＴ１６の「読取指示」）、スキャナコントローラ１１１は表示読取部２、２２による画像読取動作を開始する。即ち、スキャナコントローラ１１１は、表示読取部２、２２のフラットパネル１１２において、読取対象領域４３内のエリアに光を透過させる色（白色）を表示し、読取対象外領域４４のエリアに光を遮光する色（黒色）、あるいは透過率を低下させる色（暗色）を表示するよう表示色を変更する（ステップＳＴ１７）。
【００４６】
次に、スキャナコントローラ１１１は、原稿からの反射光を受光部１１４で受光することにより、原稿の画像読取を実行する（ステップＳＴ１８）。この際、本実施例では、ＣＰＵは画像表示部に画像読取中であることを示す通知を表示している。図１４に示す読取中画面では、読取対象領域４３に原稿６０が載置されており、読取対象外領域４４に「読み取り中」である旨の表示と、「中止」ボタン４８を表示している。
【００４７】
ここで、ユーザによりカーソル５０にて「中止」ボタン４８が選択されると（ステップＳＴ１９のＹｅｓ）、スキャナコントローラ１１１は画像読取動作を中止する（ステップＳＴ２０）。そして、ＣＰＵは、ＳＴ１５へと戻り、画像表示部に図１２に示す原稿位置画面を表示する。
【００４８】
ＳＴ１８の画像読取動作が中止されることなく完了すると、スキャナコントローラ１１１において、受光部１１４で受光された画像信号を処理する際に、読取対象外領域４４に対応する画像信号をマスク処理する（ステップＳＴ２１）。そして、ＣＰＵは、ＳＴ１５へと戻り、画像表示部に図１２に示す原稿位置画面を表示する。
【００４９】
これにより、画像読取動作時には、画像読取機能を有する画像表示部において、原稿が載置された読取対象領域のエリアのみ光を透過させ、読取原稿が載置されていない読取対象外領域のエリアは光を遮光する、あるいは透過率を低下させるように表示制御することにより、原稿押さえがなくとも照射光の漏れを防ぎつつ、原稿押さえ等による原稿ずれの発生を防ぐことが可能となる。
【００５０】
また、読取対象外領域４４に対応する画像信号をマスク処理することにより、通知文言の表示や暗色表示による外光等の影響を取り除くことができる。又、画像読取動作中に、ユーザが読取対象外領域４４上に原稿以外の物を置いたとしても、これらからの反射光の影響を排除することができる。
【００５１】
次に、図１５乃至図２１を用いて、図１乃至図３に示すスキャン装置１、図４乃至図６に示すスキャナ装置１とノート型パソコン１１からなるシステム、および図７及び図８に示すノート型パソコン２２における画像読取処理の変形例について説明する。図１５は画像読取処理に関する変形例のフローチャートであり、図１１と同様のステップについては説明を簡略化する。
【００５２】
図１２に示す原稿位置画面では、指定された原稿サイズの読取対象領域４３を、予め設定されたデフォルト位置４３ａに表示するようになっている。本変形例では、図１６に示すように、デフォルト位置に表示された読取対象領域４３ａを、図１７に示すように、読取対象領域４３を表示読取部内のユーザの希望する任意の位置（例えば４３ｂ）に変更することが可能となる。これにより、原稿の形状によって、デフォルト位置４３ａでは載置しにくい場合に載置位置を変更して、原稿ずれが生じる可能性を低く抑えることが可能となる。
【００５３】
また、画像を読み取る場合に、表示読取部２、２２において、図２０に示すように、読取対象領域４３の周囲から特定の幅だけ内側のエリア４３ｘにおいてのみ光を透過する色を表示し、読取対象領域４３の周囲から特定の幅にあるエリア４３ｙにおいては光を遮光する色、あるいは透過率を低下させる色を表示するよう表示色を変更する。これにより、ユーザが原稿を載置した時の読取対象領域４３と原稿とのずれによる光漏れを防止することができる。
【００５４】
更に、スキャナコントローラ１１１において、受光部１１４で受光された画像信号を処理する際に、読取対象領域４３の周囲から特定の幅にあるエリア４３ｙに対応する画像信号をマスク処理して、使用しないことにより、シェーディングの発生を防止することができる。
【００５５】
尚、図１５に示すフローチャートに関する説明において、番号を付与せずに「ＣＰＵ」および「画像表示部」と表記した場合には、図１乃至図３に示すスキャン装置１のＣＰＵ１０１と表示読取部２、図４乃至図６に示すノート型パソコン１１のＣＰＵ２０１とＬＣＤ１２、図７及び図８に示すノート型パソコン２２にＣＰＵ２０１と表示読取部２２を示すこととして以下説明する。
【００５６】
画像読取領域の設定が完了すると、ＣＰＵは、画像表示部に、図１２に示す原稿位置画面を表示する（ステップＳＴ１５）。この図１２に示す原稿位置画面では、指定された原稿サイズの読取対象領域４３は予め設定されたデフォルト位置４３ａに表示される。
【００５７】
ここで、ＣＰＵは、デフォルト位置に表示された読取対象領域４３ａの所定の箇所（本実施例では角部）がカーソル５０でクリックされたことを検知すると、位置の変更が指示されたと判断する（ステップＳＴ３１のＹｅｓ）。そして、ＣＰＵは、図１６に示すように、画像表示部のクリックされた箇所に移動マーク５１を表示し、カーソル５０による読取対象領域４３の位置を変更するための指示待ちの状態となる。この状態で、ユーザがカーソル５０で移動マーク５１をクリックしたまま、希望の位置（例えば４３ｂ）にカーソル５０を移動させることにより、ＣＰＵは、図１７に示すように、デフォルト位置４３ａから任意の位置４３ｂへと読取対象領域４３の位置を変更する（ステップＳＴ３２）。
【００５８】
この際、図４乃至図６に示すノート型パソコン１１のＣＰＵ２０１とＬＣＤ１２からなるシステムにおいては、ＬＣＤ１２に図１７に示す原稿位置の変更画面を表示すると共に、スキャナ装置１の表示読取部２には図１８に示す原稿位置の変更画面を表示すると、ユーザが実際の原稿を載置する表示読取部２上にて目視で確認できるとの効果がある。
【００５９】
ＳＴ３２の原稿位置の変更画面において、ＣＰＵは、読取対象領域４３ｂの所定の箇所（本実施例では角部）がカーソル５０でクリックされたことを検知すると、位置変更の確定と判断し、図１９に示す画面を画像表示部に表示する。ここで、ユーザにより「終了」ボタン４７が選択されると、ＣＰＵは一連の読取処理を終了する（ステップＳＴ１６の「終了」）。「戻る」ボタン４６が選択されると（ＳＴ１６の「戻る」）、ＣＰＵは図９に示す画像読取領域の設定処理におけるＳＴ１２の処理へと戻る。
【００６０】
又、カーソル５０にて「読取開始」ボタン４５が選択されると（ＳＴ１６の「読取指示」）、スキャナコントローラ１１１は表示読取部２、２２による画像読取動作を開始する。即ち、スキャナコントローラ１１１は、表示読取部２、２２のフラットパネル１１２において、読取対象領域４３の周囲から特定の幅だけ内側に囲まれたエリア４３ｘのみ光を透過する色（白色）を表示し、読取対象外領域４４及び読取対象領域４３の周囲から特定の幅にあるエリア４３ｙにおいては光を遮光する色（黒色）、あるいは透過率を低下させる色（暗色）を表示するよう表示色を変更する（ステップＳＴ３３）。
【００６１】
次に、スキャナコントローラ１１１は、原稿からの反射光を受光部１１４で受光することにより、原稿の画像読取を実行する（ステップＳＴ３４）。この際、ＣＰＵは画像表示部に、図１４に示す読取中画面を表示している。ユーザにより「中止」ボタン４８が選択されると（ステップＳＴ１９のＹｅｓ）、スキャナコントローラ１１１は画像読取動作を中止する（ステップＳＴ２０）。そして、ＣＰＵは、ＳＴ１５へと戻り、画像表示部に図１２に示す原稿位置画面を表示する。
【００６２】
また、画像読取動作が中止されることなく完了すると、スキャナコントローラ１１１において、受光部１１４で受光された画像信号を処理する際に、読取対象外領域に対応する画像信号、及び読取対象領域４３の周囲から特定の幅にあるエリア４３ｙに対応する画像信号をマスク処理する（ステップＳＴ３５）。そして、ＣＰＵは、ＳＴ１５へと戻り、画像表示部に図１２に示す原稿位置画面を表示する。
【００６３】
尚、表示読取部の大きさよりも小さい名刺サイズの原稿を例に挙げて説明したが、全面を使用して画像読取を行う場合には、入力部４、１５からの特定の入力でもって読取開始を受け付けるようにすればよい。
【図面の簡単な説明】
【００６４】
【図１】本実施の形態に係る電子機器としてのスキャナ装置１Ａの斜視図。
【図２】スキャナ装置１Ｂの斜視図。
【図３】スキャナ装置１（１Ａ、１Ｂ）のシステム構成を示すブロック図。
【図４】スキャナ装置１Ａをノート型パソコン１１に接続し、ノート型パソコン１１から各種入力を行うシステムの斜視図。
【図５】スキャナ装置１Ｂをノート型パソコン１１に接続し、ノート型パソコン１１から各種入力を行うシステムの斜視図。
【図６】スキャナ装置１とノート型パソコン１１とからなるシステムのブロック図。
【図７】スキャナ装置１の画像読取機能付き画像表示部２を内蔵した電子機器としてのノート型パソコン２１の斜視図。
【図８】ノート型パソコン２１のブロック図。
【図９】画像読取領域の設定に関するフローチャート図。
【図１０】画像表示部２、１２、２２に表示される原稿指定に関するメニュー画面４１を示す図。
【図１１】画像読取処理に関するフローチャート図。
【図１２】画像表示部２、１２、２２に表示される原稿位置画面を示す図。
【図１３】図４乃至図６に示すノート型パソコン１１のＣＰＵ２０１とＬＣＤ１２からなるシステムにおいて、表示読取部２に表示される原稿位置画面を示す図。
【図１４】画像表示部２、１２、２２に表示される読取中画面を示す図。
【図１５】画像読取処理に関する変形例のフローチャート図。
【図１６】画像表示部２、１２、２２に表示される原稿位置画面で、移動マーク５１が表示された状態を示す図。
【図１７】画像表示部２、１２、２２に表示される原稿位置画面で、読取対象領域が変更された状態を示す図。
【図１８】図４乃至図６に示すノート型パソコン１１のＣＰＵ２０１とＬＣＤ１２からなるシステムにおいて、表示読取部２に表示される原稿位置画面で、読取対象領域が変更された状態を示す図。
【図１９】読取対象領域が変更された後の原稿位置画面を示す図。
【図２０】読取対象領域４３において透過色と遮光色（暗色）を表示するエリアを示す図。
【図２１】読み取り動作を説明するための図。
【符号の説明】
【００６５】
１、１Ａ、１Ｂ    スキャナ装置
２、２２    画像読取機能付き画像表示部、表示読取部
４    マウス、入力部
６、２６    透明フィルム
１１、２１    ノート型パソコン
１２    画像読取機能を保持していない画像表示部（ＬＣＤ）
１５    キーボード
４１    メニュー画面
４３、４３ｂ    読取対象領域
４３ａ    読取対象領域のデフォルト位置
４４    読取対象外領域
６０    原稿
１０１、２０１    ＣＰＵ
１１１    スキャナコントローラ
１１２    フラットパネル
１１３    バックライト
１１４    受光部
【図１】
2006140918.tif 000003
【図２】
2006140918.tif 000004
【図３】
2006140918.tif 000005
【図４】
2006140918.tif 000006
【図５】
2006140918.tif 000007
【図６】
2006140918.tif 000008
【図７】
2006140918.tif 000009
【図８】
2006140918.tif 000010
【図９】
2006140918.tif 000011
【図１０】
2006140918.tif 000012
【図１１】
2006140918.tif 000013
【図１２】
2006140918.tif 000014
【図１３】
2006140918.tif 000015
【図１４】
2006140918.tif 000016
【図１５】
2006140918.tif 000017
【図１６】
2006140918.tif 000018
【図１７】
2006140918.tif 000019
【図１８】
2006140918.tif 000020
【図１９】
2006140918.tif 000021
【図２０】
2006140918.tif 000022
【図２１】
2006140918.tif 000023